(57)【要約】【課題】操作性に優れた収納具を提供する。【解決手段】上部が開口した有底箱状の本体７と、本体７の一つの側面である前面部２より突設された操作部８とを備えた収納具１であって、操作部８には指掛け用孔１７を備え、操作部８は、本体７の前面部２と平行に配置され、指掛け用孔１７を有する操作面部１５と、操作面部１５の左右両端と本体７の前面部２とを連結する一対の連結面部１６、１６とを備え、操作面部１５、一対の連結面部１６、１６及び本体７の前面部２により区画された指通し用空間１８を備えている。【選択図】図１
0003232405.tif 000002
【実用新案登録請求の範囲】
【請求項１】
上部が開口した有底箱状の本体と、
前記本体の一つの側面より突設された操作部とを備えた収納具であって、
前記操作部には指掛け用孔を備えたことを特徴とする収納具。
【請求項２】
前記操作部は、
前記本体の前記側面と平行に配置され、前記指掛け用孔を有する操作面部と、
前記操作面部の左右両端と前記本体の前記側面とを連結する一対の連結面部とを備え、
前記操作面部、一対の前記連結面部及び前記本体の前記側面により区画された指通し用空間を備えたことを特徴とする請求項１に記載の収納具。
【請求項３】
前記操作面部の下端は、前記本体の底面部より所定寸法だけ高く形成され、
当該所定寸法は使用者の手指の太さ以上とし、
前記操作部の下部に隙間が形成されたことを特徴とする請求項２に記載の収納具。
【請求項４】
前記本体を複数の収納空間に区画する仕切り板と、
一つの前記収納空間の底部を前記本体の底面部から嵩上げする嵩上げ用底板とを備え、
前記仕切り板は、その上端を前記本体の周縁の上端より低く形成され、
前記嵩上げ用底板から前記仕切り板の上端までの寸法を、被収納物より低く形成されたことを特徴とする請求項１〜３のいずれか１項に記載の収納具。
【考案の詳細な説明】
【技術分野】
【０００１】
本考案は、収納具に関するものである。
【背景技術】
【０００２】
従来、収納具としては、箱体本体部と、箱体本体部の内部に設けられる仕切部と、箱体本体部に配設される手掛孔を備えた書類収納箱があった（特許文献１）。
【先行技術文献】
【特許文献】
【０００３】
【特許文献１】特開２００９−１９０１９４号公報
【考案の開示】
【考案が解決しようとする課題】
【０００４】
しかし、特許文献１に記載の書類収納箱では、箱体本体部に被収納物が手掛孔付近まで収容されていると、手掛孔に手指を入れようとしても内側の収納物に邪魔されて手指が箱体本体部内部に入らず、手掛孔に手指が掛けられないことがあり、操作性に問題があった。
【０００５】
そこで、本考案は、操作性に優れた収納具を提供することを目的とする。
【課題を解決するための手段】
【０００６】
請求項１記載の本考案の収納具は、上部が開口した有底箱状の本体と、前記本体の一つの側面より突設された操作部とを備えた収納具であって、前記操作部には指掛け用孔を備えたことを特徴とする。
【０００７】
請求項２記載の本考案の収納具は、前記操作部は、前記本体の前記側面と平行に配置され、前記指掛け用孔を有する操作面部と、前記操作面部の左右両端と前記本体の前記側面とを連結する一対の連結面部とを備え、前記操作面部、一対の前記連結面部及び前記本体の前記側面により区画された指通し用空間を備えたことを特徴とする。
【０００８】
請求項３記載の本考案の収納具は、前記操作面部の下端は、前記本体の底面部より所定寸法だけ高く形成され、当該所定寸法は使用者の手指の太さ以上とし、前記操作部の下部に隙間が形成されたことを特徴とする
【０００９】
請求項４記載の本考案の収納具は、前記本体を複数の収納空間に区画する仕切り板と、一つの前記収納空間の底部を前記本体の底面部から嵩上げする嵩上げ用底板とを備え、前記仕切り板は、その上端を前記本体の周縁の上端より低く形成され、前記嵩上げ用底板から前記仕切り板の上端までの寸法を、被収納物より低く形成されたことを特徴とする。
【考案の効果】
【００１０】
請求項１の考案によれば、本体に収納した被収納物に接触することなく、収納具の操作をすることができる。
【００１１】
請求項２の考案によれば、操作面部に手指を上または下から掛けたり、操作面部に手指を掛けつつ、その手指を指通し用空間を通して指掛け用孔の縁にも掛けたりと、収納具の操作方法に汎用性が向上する。
【００１２】
請求項３の考案によれば、操作面部に手指を下から掛けることができる。
【００１３】
請求項４の考案によれば、本体より低く形成された各種カード等の被収納物が取り出し易くなる。
【図面の簡単な説明】
【００１４】
【図１】本考案の実施例１の収納具の斜視図である。
【図２】同上、収納具の平面部である。
【図３】同上、収納具の右側面図である。
【図４】同上、図３のＡ−Ａ線断面図である。
【図５】同上、被収納物を収納した状態の収納具の斜視図である。
【図６】同上、操作部の操作方法を（Ａ）〜（Ｅ）に示した断面図である。
【考案を実施するための最良の形態】
【００１５】
本考案における好適な実施の形態について、添付図面を参照して説明する。尚、以下に説明する実施例は、実用新案登録請求の範囲に記載された本考案の内容を限定するものではない。また、以下に説明される構成の全てが、本考案の必須要件であるとは限らない。
【実施例１】
【００１６】
以下、本考案の第１実施例を図１〜図６を参照して説明する。本実施例の収納具１は、前面部２、後面部３、右側面部４、左側面部５、底面部６から構成される有底箱状の本体７と、本体７より突設された操作部８と、本体７の内部を複数の収納空間９、１０に区画する仕切り板１１とを備えている。ここで、前面部２、後面部３、右側面部４、左側面部５、底面部６及び仕切り板１１は、透明なアクリル板等の合成樹脂製の板材から形成されている。また、本実施例では、前面部２、後面部３、右側面部４、左側面部５、底面部６及び仕切り板１１は互いの端部同士を接着剤等により接合されている。
【００１７】
図２に示すように本体７は、平面視矩形状に形成されており、前面部２及び後面部３を一対の短辺とし、右側面部４及び左側面部５を一対の長辺としている。仕切り板１１は、右側面部４及び左側面部５の間において右側面部４及び左側面部５と平行となるように配置されている。ここで、右側面部４と仕切り板１１との間隔Ｗ１は、左側面部５と仕切り板１１との間隔Ｗ２より大きく形成されている。本実施例の本体７は、前面部２から後面部３までの寸法を約２２.５センチメートル、右側面部４から左側面部５までの寸法を約４センチメートルとし、本体７は前後方向の寸法を幅広とし、左右方向の寸法を幅狭とした細長い箱型形状を有しており、金庫内部の棚等の横幅が狭く奥行のある隙間への出し入れを可能としている。
【００１８】
図１及び図４に示すように本体７の上部に形成された開口部１２の周縁である開口縁部１３は、底面部６と平行に形成されている。尚、仕切り板１１の上端部１４は、本体７の開口縁部１３より低く形成されている。
【００１９】
操作部８は、本体７の前面部２の前方に前面部２と平行に配置された操作面部１５と、操作面部１５の左右両端と本体７の右側面部４及び左側面部５とを連結する一対の連結面部１６、１６とを備えた平面視略コ字形状を有している。ここで、操作部８には指掛け用孔１７が形成されている。
【００２０】
図１及び図２に示すように一対の連結面部１６、１６は、本体７の右側面部４及び左側面部５とそれぞれ面一に形成されている。
【００２１】
図１及び図２に示すようにそして、本体７と操作部８との間には、操作面部１５、一対の連結面部１６、１６及び本体７の前面部２により区画され、上下方向に連通した空洞からなる指通し用空間１８が形成されている。指通し用空間１８は、指掛け用孔１７と連通している。指掛け用孔１７は、使用者の手指Ｆ（図６参照）が挿通可能に形成された円形状の貫通孔からなる。
【００２２】
図３に示すように操作面部１５の下端１５Ａ及び連結面部１６、１６の下端１６Ａ、１６Ａは、本体７の底面部６より所定寸法Ｌだけ高く形成されたことにより、操作部８の下部には隙間１９が形成されている。当該所定寸法Ｌは使用者の手指Ｆの太さ以上とする。
【００２３】
図２に示すように本体７の内部は、前面部２、後面部３、右側面部４、底面部６及び仕切り板１１によって区画された第１収納空間９と、前面部２、後面部３、左側面部５、後述する嵩上げ用底板２０及び仕切り板１１によって区画された第２収納空間１０に分割される。第２収納空間１０の平面視形状と同じ矩形状に形成された嵩上げ用底板２０は、図４に示すように本体７の底面部６から所定寸法Ｍだけ上方で水平となるように、前面部２、後面部３、左側面部５及び仕切り板１１に架設されている。そのため、第１収納空間９が第２収納空間１０より深く形成されている。本実施例では、嵩上げ用底板２０から仕切り板１１の上端部１４までの寸法Ｈは、被収納物である各種カード類Ｃの高さより低いものとする。
【００２４】
以上の構成の収納具１の使用方法について説明する。図５に示すように第１収納空間９及び第２収納空間１０には、書類、通帳、各種カード類又は小物等の被収納物Ｃが例えば縦置きで収納される。第１収納空間９には厚みのある被収納物Ｃを収納し、第２収納空間１０には薄い被収納物Ｃを収納する。
【００２５】
第１収納空間９の深さに満たない高さを有するカード類Ｃを収納する場合、カード類Ｃの高さより浅く形成された第２収納空間１０に収納することで、カード類Ｃの一部が第２収納空間１０より上方に突出しており、この突出している部分を手指Ｆで摘まむことで、カード類Ｃの取り出しが容易になる。
【００２６】
収納具１を金庫等の保管庫や棚等の収納場所から移動させる際に、使用者は操作部８を手指Ｆで操作して移動させる。操作部８の操作方法としては、図６（Ａ）に示すような指掛け用孔１７に手指Ｆを挿通しつつ、操作面部１５及び下端１５Ａに手指Ｆを掛ける、図６（Ｂ）に示すような操作面部１５及び操作面部１５の上端１５Ｂに手指Ｆを上から掛ける、図６（Ｃ）に示すような操作面部１５及び下端１５Ａに手指Ｆを下から掛ける、図６（Ｄ）に示すような操作面部１５及び上端１５Ｂに手指Ｆを上から掛けつつ、その手指Ｆを指通し用空間１８を通して指掛け用孔１７の縁にも掛ける、図６（Ｅ）に示すような操作面部１５及び下端１５Ａに手指Ｆを下から掛けつつ、その手指Ｆを指通し用空間１８を通して指掛け用孔１７の縁にも掛ける、といった様々な操作方法により、操作部８に手指Ｆを引っ掛けて収納具１を移動させることができる。
【００２７】
本実施例の収納具１は、上部が開口した有底箱状の本体７と、本体７の一つの側面である前面部２より突設された操作部８とを備えた収納具１であって、操作部８には指掛け用孔１７を備えたことにより、本体７に収納した被収納物Ｃに接触することなく、収納具１の操作をすることができる。
【００２８】
本実施例の収納具１は、操作部８は、本体７の前面部２と平行に配置され、指掛け用孔１７を有する操作面部１５と、操作面部１５の左右両端と本体７の前面部２とを連結する一対の連結面部１６、１６とを備え、操作面部１５、一対の連結面部１６、１６及び本体７の前面部２により区画された指通し用空間１８を備えたことにより、操作面部１５に手指Ｆを上または下から掛けたり、操作面部１５に手指Ｆを掛けつつ、その手指Ｆを指通し用空間１８を通して指掛け用孔１７の縁にも掛けたりと、収納具１の操作方法の汎用性が向上する。
【００２９】
本実施例の収納具１は、操作面部１５の下端１５Ａは、本体７の底面部６より所定寸法Ｌだけ高く形成され、当該所定寸法Ｌは使用者の手指Ｆの太さ以上とし、操作部８の下部に隙間１９が形成されたことにより、操作面部１５に手指Ｆを下から掛けることができる。
【００３０】
本実施例の収納具１は、本体７を複数の収納空間９、１０に区画する仕切り板１１と、一つの収納空間である第２収納空間１０の底部を本体７の底面部６から嵩上げする嵩上げ用底板２０とを備え、仕切り板１１は、その上端１４を本体７の周縁１３の上端より低く形成され、嵩上げ用底板２０から仕切り板１１の上端１４までの寸法Ｈを、被収納物Ｃより低く形成されたことにより、本体７より低く形成された各種カード等の被収納物Ｃが取り出し易くなる。
【００３１】
本考案は上記実施例に限定されるものではなく、例えば、仕切り板は複数備え、本体を３つ以上の収納空間に区画してもよいものとする。また、本体や操作部は、透明に限らず所望の色とすることができ、材質は合成樹脂に限らず金属や木材であってもよい。
【符号の説明】
【００３２】
１    収納具
２    前面部（側面）
７    本体
８    操作部
９    収納空間（第１収納空間）
１０  収納空間（第２収納空間）
１１  仕切り板
１３  開口縁部（周縁）
１４  上端部（仕切り板）
１５  操作面部
１５Ａ下端
１６  連結面部
１７  指掛け用孔
１８  指通し用空間
１９  隙間
２０  嵩上げ用底板
【図１】
0003232405.tif 000003
【図２】
0003232405.tif 000004
【図３】
0003232405.tif 000005
【図４】
0003232405.tif 000006
【図５】
0003232405.tif 000007
【図６】
0003232405.tif 000008